(57)【要約】【課題】音楽再生機能やカメラ機能等のアプリケーションが動作している場合に携帯電話機の主電源電圧を計測し、主電源電圧が任意の電圧以下になった場合、動作中のアプリケーションを停止させ、それ以降はアプリケーションの動作を禁止し、移動体通信端末の基本機能の使用時間を有効活用させること。【解決手段】検出部１０５がアプリケーション動作時に主電源電圧を計測し、主電源電圧がベースバンドブロック１１２、キー１２４やＬＣＤ１２０から利用者により設定された所定の電圧になった場合、動作中のカメラ１２１や音楽再生１２３などのアプリケーションを停止させる。【選択図】図１
2007110211.tif 000002
【特許請求の範囲】
【請求項１】
アプリケーション動作時に主電源電圧を計測し、主電源電圧が入力手段から利用者により設定された所定の電圧になった場合、動作中のアプリケーションを停止させることを特徴とする移動体通信端末。
【請求項２】
動作中のアプリケーションを停止させた後、充電がされたと判断したときに前記アプリケーションの動作を許可することを特徴とする請求項１記載の移動体通信端末。
【請求項３】
アプリケーション動作時に主電源電圧を計測するステップと、
主電源電圧が入力手段から利用者により設定された所定の電圧になったか否かを判定するステップと、
上記所定の電圧になった場合、動作中のアプリケーションを停止させるステップと
を有することを特徴とする移動体通信端末のアプリケーション制御方法。
【請求項４】
動作中のアプリケーションを停止させた後、充電がされたと判断したときに前記アプリケーションの動作を許可するステップをさらに有することを特徴とする請求項３記載の移動体通信端末のアプリケーション制御方法。
【請求項５】
コンピュータに、アプリケーション動作時に主電源電圧を計測し、主電源電圧が入力手段から利用者により設定された所定の電圧になった場合、動作中のアプリケーションを停止させる機能を実現させることを特徴とするプログラム。
【請求項６】
コンピュータに、動作中のアプリケーションを停止させた後、充電がされたと判断したときに前記アプリケーションの動作を許可する機能をさらに実現させることを特徴とする請求項５記載のプログラム。
【発明の詳細な説明】
【技術分野】
【０００１】
本発明は、音楽再生機能やカメラ機能などのアプリケーションを動作させることが可能な移動体通信端末を制御する技術に関する。
【背景技術】
【０００２】
近年、ステレオ音楽再生機能、高画素デジタルスチルカメラ、動画録音／再生機能などのアプリケーションを備える携帯電話機が普及しつつある。
【０００３】
このような携帯電話機において、通話機能以外のアプリケーションを使用する機会が多く、かつ、高機能化に伴い、アプリケーション動作時の消費電流も増大しており、電池の消耗が激しくなっている。
【０００４】
結果として携帯電話機の基本機能である通話、データ通信の機能が有効に使用できなくなるという問題が頻繁に発生していた。
【０００５】
ここで、携帯型電話機本体に接続されたステレオヘッドフォンマイクは、第１および第２のイヤホンと、マイクロフォンから構成され、通話時以外はイヤホンを用いて音楽再生部の再生する音楽をステレオで聞き、着信検出部が着呼を検出すると、音楽の再生中であればこれを一時停止させ、第１の制御部がイヤホンのみに着信音を流すと共に、イヤホンとマイクロフォンによる通話を行わせ、通話が終了すると、一次停止した音楽の停止した箇所から音楽再生部の再生が開始され、電池残量検出部は通話が最低限できる電池の残量以下になると音楽の再生を中止させることで、音楽などの音データの再生を行っている状態で着呼があったとき通話状態に簡単に切り替えることができ、通話品質を確保することができる技術が提案されている（例えば、特許文献１参照）。
【特許文献１】特開２００１−３３３１６１号公報
【発明の開示】
【発明が解決しようとする課題】
【０００６】
しかしながら、上述した従来例においては次のような問題点があった。
【０００７】
動作中の音楽再生機能やカメラ機能などのアプリケーションを停止させる主電源電圧の電圧を設定する方法や、再度、それらのアプリケーションを起動させる手法が不明であり、利用者の利便性に十分資することが困難であった。
【０００８】
本発明は、以上説明した事情に鑑みてなされたものであり、その目的は、音楽再生機能やカメラ機能等のアプリケーションが動作している場合に携帯電話機の主電源電圧を計測し、主電源電圧が任意の電圧以下になった場合、動作中のアプリケーションを停止させ、それ以降はアプリケーションの動作を禁止し、移動体通信端末の基本機能の使用時間を有効活用させることにある。
【課題を解決するための手段】
【０００９】
上記課題を解決するために、本発明は、アプリケーション動作時に主電源電圧を計測し、主電源電圧が入力手段から利用者により設定された所定の電圧になった場合、動作中のアプリケーションを停止させる移動体通信端末を提供する。
【００１０】
また、本発明は、アプリケーション動作時に主電源電圧を計測するステップと、主電源電圧が入力手段から利用者により設定された所定の電圧になったか否かを判定するステップと、上記所定の電圧になった場合、動作中のアプリケーションを停止させるステップとを有する移動体通信端末のアプリケーション制御方法を提供する。
【００１１】
また、本発明は、コンピュータに、アプリケーション動作時に主電源電圧を計測し、主電源電圧が入力手段から利用者により設定された所定の電圧になった場合、動作中のアプリケーションを停止させる機能を実現させるプログラムを提供する。
【発明の効果】
【００１２】
本発明によれば、音楽再生機能やカメラ機能等のアプリケーションが動作している場合に携帯電話機の主電源電圧を計測し、主電源電圧が任意の電圧以下になった場合、動作中のアプリケーションを停止させ、それ以降はアプリケーションの動作を禁止し、移動体通信端末の基本機能の使用時間を有効活用させることができる。
【発明を実施するための最良の形態】
【００１３】
以下、本発明の第１の実施の形態について図面を参照して詳細に説明する。本実施の形態では、移動体通信端末の一例として、携帯電話機が用いられているが、ＰＨＳ、ＰＤＡやノート型パーソナルコンピュータなどの情報処理装置も移動体通信端末に含まれるのはもちろんである。
【００１４】
図１は、本実施の形態における携帯電話機１００のブロック図である。
【００１５】
図１において、電池１１０は携帯電話機１００に電源を供給する充電可能な２次電池である。
【００１６】
電源ブロック１１１はベースバンドブロック１１２と無線ブロック１１３に電源を供給し、さらに電池１１０の充電制御を行う。
【００１７】
ベースバンドブロック１１２は無線ブロック１１３を制御し、受信待受けおよび送信などの通信および本携帯電話機１００の全体を制御する。さらにベースバンドブロック１１２は、ＬＣＤ１２０、記憶媒体１２２の制御や、カメラ１２１、音楽再生１２３などのアプリケーションの制御も行う。
【００１８】
記憶媒体１２２は近年普及しつつあるＳＤカードやメモリーステックのような携帯電話機１００から着脱可能なもので、主に音楽データや、カメラ１２１から取り込んだ画像データを格納することができ、それらのデータを携帯電話機１００の外部に取り出すことが可能である。
【００１９】
アプリケーション動作検出部１１４はカメラ１２１や、音楽再生１２３などのアプリケーションが動作しているか否かを判断する。
【００２０】
電圧検出部１１５はアプリケーション動作検出部１１４にて、アプリケーションが動作していると判断された場合に動作し、電池１１０の電圧を計測する。
【００２１】
上記のすべてが本実施の形態の携帯電話機１００を構成する。
【００２２】
電圧検出部１１５により計測された電池１１０の計測電圧１は、ベースバンドブロック１１２により、記憶媒体１２２に記憶されている任意の電圧２と比較され、電圧１が電圧２より小さくなった時点で、動作しているアプリケーションを停止させる。さらにそれ以降は、カメラ１２１や、音楽再生１２３などのアプリケーション動作を禁止させる。
【００２３】
次に、本実施の形態の携帯電話機１００の構成について、図１を参照して説明する。
【００２４】
図１に示すように、携帯電話機１００では、衆網基地局や家庭用親機からの無線信号は無線ブロック１１３によって復調される。
【００２５】
無線ブロック１１３の出力信号は、音声信号または制御信号としてベースバンドブロック１１２に入力される。このうち、音声信号は、音声処理されて音声として出力される。制御信号は、ベースバンドブロック１１２内の処理に用いられる。
【００２６】
ベースバンドブロック１１２はスケジュール管理機能、電卓機能、アラーム（目覚まし）機能を動作させ、さらに音楽再生１２３、カメラ１２１を動作させて静止画や動画の撮影などのアプリケーションを動作させることが可能である。
【００２７】
アプリケーション動作検出部１１４はカメラ１２１や、音楽再生１２３などのアプリケーションが動作しているか否かを判断し、アプリケーションが動作していると判断した場合、電圧検出部１１５を動作させる。
【００２８】
電圧検出部１１５は、電池１１０の電圧を計測する。計測された電圧１は、ベースバンドブロック１１２により、記憶媒体１２２内に記憶されている任意の電圧２と比較され、電圧１が電圧２より小さくなった時点で、動作しているアプリケーションを停止する。また、それ以降は、カメラ１２１や、音楽再生１２３などのアプリケーションの動作を禁止させる。ただし、電池１１０への充電が開始された時点でアプリケーションの動作禁止は解除される。
【００２９】
任意の電圧２は、ベースバンドブロック１１２、キー１２４、ＬＣＤ１２０を用いて利用者にて設定され、記憶媒体１２２に記憶される。
【００３０】
次に、本実施の形態におけるアプリケーション動作を停止および禁止する場合の処理動作のフローについて、図１と、図２に示すフローチャートを参照して詳細に説明する。
【００３１】
携帯電話機１００は、待受け状態（Ｓ１０１）において、アプリケーション動作検出部１１４により、アプリケーション起動か否かを判断する（Ｓ１０２）。
【００３２】
アプリケーションが起動していると判断した場合（Ｓ１０２／Ｙｅｓ）は、検出部１１４により、電圧検出部１１５を起動する（Ｓ１０３）。
【００３３】
検出部１１５により、記憶媒体１２２内に記憶されている任意の電圧２を読み込み、電池１１０の電圧を計測し、計測された計測電圧１は電圧２より小さいか否かを判断する（Ｓ１０４）。
【００３４】
計測電圧１は電圧２より小さいと判断された場合（Ｓ１０４／Ｙｅｓ）は、ベースバンドブロック１１２により、起動しているアプリケーションの動作を停止する（Ｓ１０５）。
【００３５】
さらにベースバンドブロック１１２により、カメラ１２１や、音楽再生１２３等のアプリケーションの動作を禁止（Ｓ１０６）し、充電状態（Ｓ１０７）に移行する。
【００３６】
その後、ベースバンドブロック１１２により、充電されたか否かを判断する（Ｓ１０８）。
【００３７】
充電されたと判断された場合（Ｓ１０８／Ｙｅｓ）は、ベースバンドブロック１１２により、カメラ１２１や、音楽再生１２３などのアプリケーションの動作を許可（Ｓ１０９）し、充電状態（Ｓ１１０）に移行する。
【００３８】
一方、上記のステップＳ１０２の判断において、アプリケーション起動はないと判断された場合（Ｓ１０２／Ｎｏ）は、待受け状態（Ｓ１０１）を継続し、（Ｓ１０２）以降の処理を繰り返す。
【００３９】
また、上記のステップＳ１０４の判断において、計測電圧１は、電圧２より小さくないと判断された場合（Ｓ１０４／Ｎｏ）は、電池の電圧計測を継続（Ｓ１１１）し、ステップＳ１０４の処理へ移行し、ステップＳ１０４以降の処理を行う。
【００４０】
また、上記のステップＳ１０８の判断において、充電されてないと判断された場合（Ｓ１０８／Ｎｏ）は、ステップＳ１０７の処理へ移行し、ステップＳ１０７以降の処理を行う。
【００４１】
本実施の形態によれば、カメラや音楽再生などのアプリケーションを使用している状況において、電池の電圧が任意の電圧以下になった場合、自動的にアプリケーションの動作が停止されるため、携帯電話機１００の基本機能である通話、データ通信の使用時間が確保されるという効果がある。特に、近年の携帯電話機はアプリケーションの高機能化により、動作時の電流が増大しているため、その効果は絶大である。
【００４２】
また、アプリケーションを起動した時点でも上記の処理が実行され、電池電圧が任意の電圧以下の場合、アプリケーションが動作しなくなる構成であるため、不用意な電池消耗を防ぐことが可能となり、通話、データ通信のパフォーマンスを確保できるという効果がある。
【００４３】
また、携帯電話機で頻繁に音楽再生やカメラ撮影などのアプリケーションを使用する利用者においても、電池電圧が任意の電圧以下になった場合、自動的にアプリケーションの動作が止まり、以降はアプリケーションの使用が禁止されるため、その後の通話、データ通信の動作を確保することが可能となり、安心してアプリケーションを使用することができる。
【００４４】
なお、上述する各実施の形態は、本発明の好適な実施の形態であり、本発明の要旨を逸脱しない範囲内において種々変更実施が可能である。例えば、任意の電圧２は、携帯電話機自体で設定可能となる構成のみならず、外部機器を接続し、設定可能となる構成でもよく、また、電池の電圧１が任意の電圧２以下の場合、アプリケーションの動作を禁止するのみでなく、ユーザがアプリケーションの禁止を解除できる構成でもよい。
【００４５】
また、本携帯電話機の機能を実現するためのプログラムを本携帯電話機に読込ませて実行することにより本携帯電話機の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００４６】
【図１】本発明の実施形態における携帯電話機のブロック図である。
【図２】本発明の実施形態における処理動作を示すフローチャートである。
【符号の説明】
【００４７】
１００    携帯電話機
１１０    電池
１１１    電源ブロック
１１２    ベースバンドブロック
１１３    無線ブロック
１１４    アプリケーション動作検出部
１１５    電圧検出部
１２０    ＬＣＤ
１２１    カメラ
１２２    記憶媒体
１２３    音楽再生
１２４    キー
【図１】
2007110211.tif 000003
【図２】
2007110211.tif 000004